【手続補正書】
【提出日】令和2年3月26日(2020.3.26)
【手続補正１】
【補正対象書類名】特許請求の範囲
【補正対象項目名】全文
【補正方法】変更
【補正の内容】
【特許請求の範囲】
【請求項１】
異なる長さのキャピラリーカラムを収容できるように構成された、サンプルのバイオ分離用のマルチチャネルカートリッジであって、
複数のカートリッジ要素を含み、各カートリッジ要素は、
外部検出光学系を受け入れるための検出窓としての開口を画成する本体と、
前記本体内に支持されるキャピラリーカラムと、
前記本体の第１端部に取り付けられて前記キャピラリーカラムの第１端部と流体連通する、各カートリッジ要素に専用のリザーバと、
前記リザーバ内に収容される流体に導電結合されたアノードと、
前記本体の第２端部に配置されたカソードと
を備え、前記複数のカートリッジ要素は連結しており、それぞれのカートリッジ要素のリザーバ同士は流体連通しておらず、
それぞれのカートリッジ要素のアノード同士はマルチチャネルカートリッジ内で導電結合されておらず、
各カートリッジ要素は異なる分離チャネルを画成し、
該マルチチャネルカートリッジは、第１の長さを有する短いキャピラリーカラムがカートリッジ要素のリザーバとそのカートリッジ要素のカソードとの間に延在してそのカートリッジ要素の検出窓内で該短いキャピラリーカラムに沿った部分を露出させるように構成される第１の配置と、前記第１の長さよりも長い長さを有する長いキャピラリーカラムが第１のカートリッジ要素のリザーバと第２のカートリッジ要素のカソードとの間に延在して第１のカートリッジ要素の検出窓内で該長いキャピラリーカラムに沿った部分を露出させるように構成される第２の配置とを、要望に応じて構成することができる、マルチチャネルカートリッジ。
【請求項２】
前記複数のカートリッジ要素が平面内で逐次連結している、請求項１に記載のマルチチャネルカートリッジ。
【請求項３】
キャピラリーカラムの露出された部分が、前記検出窓を通して外部検出光学系と位置合わせされる、請求項１又は２に記載のマルチチャネルカートリッジ。
【請求項４】
前記本体が略縦長であり、前記キャピラリーカラムが前記本体の中心軸に沿って支持される、請求項１から３のいずれか一項に記載のマルチチャネルカートリッジ。
【請求項５】
該マルチチャネルカートリッジが前記長いキャピラリーカラムと短いカートリッジカラムの両方を有するように構成でき、長いキャピラリーカラムは、第１のカートリッジ要素の第１のリザーバと隣接する第２のカートリッジ要素のカソードとの間に延在して第１のカートリッジ要素の検出窓内で該長いキャピラリーカラムに沿った部分を露出させるように構成され、短いキャピラリーカラムは、第３のカートリッジ要素のリザーバと第３のカートリッジ要素のカソードとの間に延在して第３のカートリッジ要素の検出窓内で該短いキャピラリーカラムに沿った部分を露出させるように構成される、請求項１から４のいずれか一項に記載のマルチチャネルカートリッジ。
【請求項６】
シャーシと、
各カートリッジ要素の本体が前記シャーシによって支持されている、請求項１〜５のいずれか一項に記載のマルチチャネルカートリッジと、
サンプル及びバッファーを収容する少なくとも１つのトレイを、前記カートリッジ内のカートリッジ要素の１つに支持される少なくとも１つのキャピラリーカラムの延出端部に対して支持するテーブルと、
検出光学系を支持する少なくとも１つのフォークアセンブリであって、前記カートリッジ要素に画成された検出窓内まで延出するように移動できるフォークアセンブリと、
前記キャピラリーカラム内でサンプルのバイオ分離を行なう分離機構と、
前記キャピラリーカラム内でサンプルのバイオ分離を行なうために前記フォークアセンブリの移動及び前記分離機構を制御するコントローラと、
を備える、バイオ分離システム。
【請求項７】
前記フォークアセンブリは、第１のフォークアセンブリ及び第２のフォークアセンブリを備え、前記検出光学系は、前記第１のフォークアセンブリによって支持されて入射放射線を前記カートリッジ要素の検出区域に誘導する第１の光学系と、前記第２のフォークアセンブリによって支持されて前記カートリッジ要素の検出区域からの放射線を集光する第２の光学系とを備える、請求項６に記載のバイオ分離システム。
【請求項８】
前記第１及び第２のフォークアセンブリは、前記カートリッジ要素の側方両側に配置され、前記第１及び第２のフォークアセンブリは、該第１及び第２のフォークアセンブリが前記カートリッジ要素に画成された検出窓内まで延出しない第１の位置と、該第１及び第２のフォークアセンブリが前記カートリッジ要素に画成された検出窓内まで延出する第２の位置との間で移動する、請求項７に記載のバイオ分離システム。
【請求項９】
前記トレイにあるサンプルの温度を制御する温度制御機構をさらに備える、請求項６〜８のいずれか一項に記載のバイオ分離システム。
【請求項１０】
前記カートリッジ要素の温度を制御する温度制御機構をさらに備える、請求項６〜９のいずれか一項に記載のバイオ分離システム。
【請求項１１】
シャーシにより支持されるパンチャーをさらに備え、該パンチャーは、前記テーブル上に支持されるトレイに対して相対的に移動可能であり、それによってトレイを覆うシールにパンチで穴をあける、請求項６〜１０のいずれか一項に記載のバイオ分離システム。
【手続補正２】
【補正対象書類名】明細書
【補正対象項目名】００９５
【補正方法】変更
【補正の内容】
【００９５】
本発明を好適な実施形態を参照しながら具体的に示しまた説明してきたが、当業者であれば、本発明の精神、範囲及び教示から逸脱することなく、構成及び詳細に様々な変更を加え得ることを理解するであろう。
最後に、本発明の好ましい実施態様を項分け記載する。
［実施態様１］
複数のカートリッジ要素を含む、サンプルのバイオ分離用のマルチチャネルカートリッジであって、各カートリッジ要素は：
外部検出光学系を受け入れるための検出窓としての開口を画成する本体と、
前記本体内に支持されるキャピラリーカラムと、
前記本体の第１端部に取り付けられて前記キャピラリーカラムの第１端部と流体連通する、各カートリッジ要素に専用のリザーバと、
を備え、前記複数のカートリッジ要素は連結しており、それぞれのカートリッジ要素のリザーバ同士は流体連通していない、マルチチャネルカートリッジ。
［実施態様２］
前記複数のカートリッジ要素は平面内で逐次連結している、実施態様１に記載のマルチチャネルカートリッジ。
［実施態様３］
少なくとも１つのカートリッジ要素の前記検出窓は、前記キャピラリーカラムに沿ったある部分を露出させ、前記検出窓を通して該部分に対して外部検出光学系が位置合わせされる、実施態様１に記載のマルチチャネルカートリッジ。
［実施態様４］
前記キャピラリーカラムは、前記本体内に支持される２つのフェルールにより同軸に支持され、前記２つのフェルールのそれぞれが、前記本体により片持ち梁状に支持され、かつ前記検出窓内まで延出する端部を有し、キャピラリーカラムに沿った検出区域が、前記２つのフェルールの延出端部の間で露出する、実施態様３に記載のマルチチャネルカートリッジ。
［実施態様５］
前記本体が、細長で、略縦長のブレード形状である、実施態様１に記載のマルチチャネルカートリッジ。
［実施態様６］
前記キャピラリーカラムは、前記本体の中心軸に沿って支持される、実施態様５に記載のマルチチャネルカートリッジ。
［実施態様７］
各カートリッジ要素において、前記本体の第２端部が、ある幅を有する本体部分から延出しており、前記本体の第２端部は前記本体部分の幅よりも狭い、実施態様１に記載のマルチチャネルカートリッジ。
［実施態様８］
前記本体の前記第２端部は、前記本体部分から狭い端部へと次第に細くなる、実施態様７に記載のマルチチャネルカートリッジ。
［実施態様９］
少なくとも第１のカートリッジ要素は、リザーバにアノードをさらに備え、該アノードはリザーバに収容される流体に導電結合されており、かつそれぞれのカートリッジ要素のアノード同士はカートリッジ内で導電結合されていない、実施態様１に記載のマルチチャネルカートリッジ。
［実施態様１０］
少なくとも第２のカートリッジ要素は、前記本体の第２端部に配置されるカソードをさらに備え、前記キャピラリーカラムは、前記第１のカートリッジ要素のリザーバと前記第２のカートリッジ要素のカソードとの間に延在する、実施態様９に記載のマルチチャネルカートリッジ。
［実施態様１１］
各カートリッジ要素はアノード及びカソードを備え、前記カソードはカートリッジ要素の本体の第２端部に配置され、各カートリッジ要素において、前記キャピラリーカラムは前記リザーバと前記カソードとの間に延在し、検出窓内のキャピラリーカラムに沿ったある部分が露出され、前記検出窓を通して該部分に対して外部検出光学系が位置合わせされる、実施態様９に記載のマルチチャネルカートリッジ。
［実施態様１２］
各カートリッジ要素が異なる分離チャネルを画成する、実施態様１１に記載のマルチチャネルカートリッジ。
［実施態様１３］
バイオ分離用のマルチチャネルカートリッジにおいて、
外部検出光学系を受け入れるための検出窓としての複数の開口を画成する本体であって、各検出窓が、複数の分離チャネルの個別の１つに対応する、本体と、
前記本体に取り付けた複数のリザーバであって、各リザーバが、前記複数の分離チャネルの個別の１つに対応する、複数のリザーバと、
複数のキャピラリーカラムであって、各キャピラリーカラムが、個別のリザーバと流体連結する第１端部、及び前記リザーバから離れて前記本体の遠位端まで延在する第２端部を有する、複数のキャピラリーカラムと
を備える、バイオ分離用のマルチチャネルカートリッジ。
［実施態様１４］
シャーシと、
各カートリッジ要素の本体が前記シャーシによって支持される、実施態様１に記載のマルチチャネルカートリッジと、
サンプル及びバッファーを収容する少なくとも１つのトレイを、前記カートリッジ内のカートリッジ要素の１つに支持される少なくとも１つのキャピラリーカラムの延出端部に対して支持するテーブルと、
検出光学系を支持する少なくとも１つのフォークアセンブリであって、前記カートリッジ要素に画成された検出窓内まで延出するように移動できるフォークアセンブリと、
前記キャピラリーカラム内でサンプルのバイオ分離を行なう分離機構と、
前記キャピラリーカラム内でサンプルのバイオ分離を行なうために前記フォークアセンブリの移動及び前記分離機構を制御するコントローラと、
を備える、バイオ分離システム。
［実施態様１５］
前記フォークアセンブリは、第１のフォークアセンブリ及び第２のフォークアセンブリを備え、前記検出光学系は、前記第１のフォークアセンブリによって支持されて入射放射線を前記カートリッジ要素の検出区域に誘導する第１の光学系と、前記第２のフォークアセンブリによって支持されて前記カートリッジ要素の検出区域からの放射線を集光する第２の光学系とを備える、実施態様１４に記載のバイオ分離システム。
［実施態様１６］
前記第１及び第２のフォークアセンブリは、前記カートリッジ要素の側方両側に配置され、前記第１及び第２のフォークアセンブリは、該第１及び第２のフォークアセンブリが前記カートリッジ要素に画成された検出窓内まで延出しない第１の位置と、該第１及び第２のフォークアセンブリが前記カートリッジ要素に画成された検出窓内まで延出する第２の位置との間で移動する、実施態様１５に記載のバイオ分離システム。
［実施態様１７］
前記トレイにあるサンプルの温度を制御する温度制御機構をさらに備える、実施態様１４に記載のバイオ分離システム。
［実施態様１８］
前記カートリッジ要素の温度を制御する温度制御機構をさらに備える、実施態様１７に記載のバイオ分離システム。
［実施態様１９］
シャーシにより支持されるパンチャーをさらに備え、該パンチャーは、前記テーブル上に支持されるトレイに対して相対的に移動可能であり、それによってトレイを覆うシールにパンチで穴をあける、実施態様１４に記載のバイオ分離システム。
［実施態様２０］
シャーシと、
実施態様１に記載のマルチチャネルカートリッジであって、前記カートリッジ要素の本体が前記シャーシによって支持され、各カートリッジ要素が異なる分離チャネルを画成する、マルチチャネルカートリッジと、
サンプル及びバッファーを収容する少なくとも１つのトレイを、前記カートリッジ要素の本体により支持されるキャピラリーカラムの延出端部に対して支持するテーブルと、
検出光学系を支持する複数のフォークアセンブリであって、該フォークアセンブリは、それぞれのカートリッジ要素に画成された検出窓内まで延出するように移動でき、各分離チャネルは少なくとも１つのフォークアセンブリを備える、フォークアセンブリと、
前記キャピラリーカラムにより画成されるそれぞれの分離チャネル内でサンプルのバイオ分離を行なう分離機構と、
前記キャピラリーカラム内でサンプルの分離を行なうために前記フォークアセンブリの移動及び前記分離機構を制御するコントローラと、
を備える、バイオ分離システム。
［実施態様２１］
各フォークアセンブリは、第１のフォークアセンブリ及び第２のフォークアセンブリを備え、前記検出光学系は、前記第１のフォークアセンブリによって支持されて入射放射線を対応するカートリッジ要素の検出区域に誘導する第１の光学系と、前記第２のフォークアセンブリによって支持されて対応するカートリッジ要素の前記検出区域からの放射線を集光する第２の光学系とを備え、前記第１及び第２のフォークアセンブリは、前記対応するカートリッジ要素の側方両側に配置され、前記第１及び第２のフォークアセンブリは、該第１及び第２のフォークアセンブリが前記対応するカートリッジ要素に画成された検出窓内まで延出しない第１の位置と、該第１及び第２のフォークアセンブリが前記対応するカートリッジ要素に画成された検出窓内まで延出する第２の位置との間で移動する、実施態様１９に記載のバイオ分離システム。